【事件の表示】
　昭和６３年特許願第２３９２１４号「表示制御装置」拒絶査定に対する審判事件［平成　２年　３月２８日出願公開、特開平　２−　８７２２４］について、次のとおり審決する。
【結　論】
　本件審判の請求は、成り立たない。
【理　由】
　
１．手続きの経緯・本願発明
  本願は、昭和63年９月月22日の特許出願であって、その請求項１に係る発明は、補正された明細書の記載よりみて、その特許請求の範囲の請求項１に記載された次のとおりのものである。（以下、「本願発明」という。）
 「入力可能な複数個のメモリ・モジュールと、表示アドレスを発生する表示アドレス発生部と、前記表示アドレスに対応するウィンドウの選択情報及び表示モード情報を格納するウィンドウ・コントロール・メモリと、前記表示アドレスを受け前記複数個のメモリ・モジュールから供給される複数の表示データの中から前記表示アドレス毎に前記選択情報に基づいて一つの表示データを選択し、その選択された表示データに対し前記表示アドレスに対応する前記表示モード情報に基づいて論理演算し、その結果を表示デバイスに出力するデータ処理部とを有することを特徴とする表示制御装置。」
　
２．引用例
  これに対し、当審で通知した拒絶の理由に引用した特開昭61-238089号公報（昭和61年10月23日公開、以下、「引用例１」という。）には、次の事項が記載されている。
(i)「この発明はディスプレイ端末上に複数の画像を表示する装置、すなわちマルチウィンドウ機能を実現するマルチウィンドウ制御装置に関するものである。」（公報第１頁左下欄第18行目〜同頁右上欄第１行目）
(ii)「【実施例】
　以下、この発明の一実施例を図について説明する。第１図において、１、２、３、４はメモリプレーン、５、６、７、８はゲート回路、９は出力信号制御回路、10は出力回路、11はCPUであり、これらは第３図に示した従来技術のものと同様なものである。一方、12はウィンドウ制御用メモリ、13はゲート信号制御回路であり、上記ウィンドウ制御用メモリ12は、同一画面上での画像位置と画像メモリとの対応関係を示す後述する制御情報を記憶するウィンドウ制御用記憶手段を構成し、又ゲート信号制御回路13は上記記憶手段、すなわちウィンドウ制御用メモリ12から上記制御情報を読み込み、この制御情報に対応するゲート信号をゲート回路５〜８に出力するゲート信号制御手段を構成している。・・・（中略）・・・
　次に動作について説明する。上記構成においてディスプレイ端末上のある１ドットの表示を行わせるためには、ウィンドウ制御用メモリ12から、どのメモリプレーンを出力するかの制御情報をゲート信号制御回路13が読み込み、この制御情報に対応するゲート回路にゲート信号を出力することにより、当該ゲートゲート回路がオープン状態になり、対応するメモリプレーン上の画像情報が出力信号制御回路９を介して出力回路10に送られる、という処理が行われる。
　第１図において、１をメモリプレーン０、２をメモリプレーン１、３をメモリプレーン２、４をメモリプレーン３とした時のウィンドウ制御用メモリ12の構成例を第２図に示す。第２図は、ディスプレイ上のドットにどのメモリプレーンの画像情報を出力するかを示している。例えば、０になっているドットに対してはメモリプレーン０の情報が表示される。」（公報第２頁右上欄第15行目〜同頁右下欄第９行目）
  上記記載事項及び図面の記載を考慮すると、結局、上記引用例１には次の発明が記載されている。
  入力可能な複数個のメモリプレーン１〜４と、同一画面上での画像位置と画像メモリとの対応関係を示す制御情報を格納するウィンドウ制御用メモリ12と、前記複数個のメモリプレーンから供給される複数の画像情報の中から前記制御情報に基づいて一つのメモリプレーン上の画像情報を選択して表示デバイスに出力するゲート回路５〜８、ゲート信号制御回路13、出力信号制御回路９、出力回路10とを有するマルチウィンドウ表示制御装置。
  同じく引用した特開昭60-257488号公報（昭和60年12月19日公開、以下、「引用例２」という。）
には、次の発明が記載されている。
　複数個の表示メモリ9-1〜9-nと、表示アドレスを発生するアドレス発生回路8-1〜8-nと、前記表示アドレスに対応するウィンドウ選択情報を格納する優先処理回路３と、前記優先処理回路は前記表示アドレスを受け前記複数個の表示メモリから供給される複数のビデオ・データの中から前記表示アドレス毎に前記選択情報に基づいて一つのビデオ・データを選択し、ビットマップディスプレイ６に出力する表示制御装置。（特に、第４図を参照。）
  同じく引用した特開昭63-131225号公報（昭和63年６月３日公開、以下、「引用例３」という。）
には、次の事項が記載されている。
(i) 「本発明はマルチウィンドウ画像表示方法に係り、特に各ウィンドウに表示されるウィンドウ画像の表示属性の管理に適用して好適なマルチウィンドウ画像表示方法に関する。」（公報第１頁右下欄第５〜６行目）
(ii) 「以下、本発明にかかるマルチウィンドウ表示について第１図乃至第３図に従って説明する。
　タスクＡが制御権を得たとすれば、該タスクＡから画像データIMD、タスク番号その他のデータが表示制御ルーチン部12に入力される。これにより、表示属性管理ルーチン12aは内蔵するタスク番号−アドレス対応テーブルから該タスクの表示属性データを記憶するメモリ14におけるアドレスA1をディスプレイコントローラ13のアドレスポインタ13cにセットする（第２図における(1)参照）。
　又、ウィンドウマネージャ12bはメモリ14からタスクＡのウィンドウ画像を記憶するウィンドウ16aのフレームバッファにおける位置(x,y)を求め、該求められた位置データやタスクから入力された画像データその他のデータをディスプレイコントローラ13に入力する。尚、位置データはウィンドウの左上隅位置の座標値である。
　ディスプレイコントローラ13のディスプレイプロセッサ13bはドライバ13aの制御のもとに画像データに含まれる位置情報を前記求めた位置データ(x,y)でオフセットしてフレームバッファ16における座標値に変換すると共に、アドレスポインタ13cに記憶されているアドレスA1が示すメモリ14の記憶域に記憶されている表示属性データを読出し（第２図における(2)参照）、該表示属性で修飾して成るウィンドー画像を発生して書き込み制御部17を介してフレームバッファ16のウィンドー16aに書き込む。
　尚、タスクＡから表示属性データの修正要求が指示されている場合にはディスプレイプロセッサ13bはドライバ13aの制御のもとに該修正データでメモリ14のタスクＡに応じた表示属性データで直接修正する（第２図における(3)参照）。
　タスクＡによるウィンドウ画像の生成が終了すれば次のタスク（たとえばタスクＢ）に制御権が移動し、該タスクから画像データIMD、タスク番号その他のデータが表示制御ルーチン部12に入力される。これにより、以後同様な処理が繰り返されタスクＢ、Ｃ、・・・のウィンドウ画像がフレームバッファ16のウィンドウ16b、16c、・・・に格納される。
　各ウィンドウ画像がフレームバッファ16に生成された状態において、アプリケーションプログラム11から重ね合わせ表示すべきウィンドウ名WMと重ね合わせの優先順位を伴う表示要求が発生すれば、表示制御ルーチン12のディスプレイルーチン12cが起動し、各ウィンドウ名WNが指示するウィンドウの２つの対角点の座標値とウィンドウ画像のディスプレイ画面上の表示位置の座標値をメモリ14から求め、該求めた位置データと優先順位をディスプレイコントローラ13に出力する。これにより、ディスプレイプロセッサ13bはドライバ13aの制御のもとに従来と同様に、表示優先順位と前記位置データを用いてラスタースキャンと同期して重ね合わせ表示すべき各画像データを各ウィンドウより読み取ってCRT19に入力してマルチウィンドー画像を表示する。」（公報第４頁左上欄第７行目〜同頁右下欄第５行目）
　以上本発明によれば、ウィンドウ毎にウィンドウ画像発生用のタスクを生成し、所定のタスクが制御権を得たとき、該タスクの表示属性を記憶する記憶域のアドレスをディスプレイコントローラに与え、該ディスプレイコントローラは与えられたアドレスが示す記憶域から直接表示属性データを読み取り、該表示属性データを用いてウィンドウ画像を発生したり、表示属性データの変更が要求されている場合には前記アドレスの示す記憶域の内容を直接更新したりできる。」（公報第４頁右下欄第５〜16行目）
  上記記載事項及び図面の記載を勘案すると、結局、上記引用例３には次の発明が記載されている。
　各ウィンドウに対応する画像発生用タスク情報及び該タスク情報に対応する表示属性データを格納するメモリ14と、各タスクによるウィンドウ画像を格納するフレームバッファ16と、所定の画像発生用タスクが制御権を得たときその表示属性データに基づいて表示デバイス19に出力し、表示属性データの修正要求が指示されている場合には該表示属性データを直接修正するマルチウィンドウ画像表示装置。
　
３．対比・判断
　本願発明と上記引用例１に記載された発明とを対比する。引用例１に記載された発明における「メモリプレーン」、及び「制御情報」は、それぞれ、本願発明における「メモリ・モジュール」、及び「ウィンドウの選択情報」に相当する。引用例１に記載された発明における「ウィンドウ制御用メモリ」はどのメモリプレーン（「メモリ・モジュール」に相当）を出力するかの制御情報（「ウィンドウの選択情報」に相当）を格納するものである点で本願発明における「ウィンドウ・コントロール・メモリ」と共通する。引用例１に記載された発明における「画像情報」は、本願発明における「表示データ」に相当する。引用例１に記載された発明における「ゲート回路５〜８、ゲート信号制御回路13、出力信号制御回路９、及び出力回路10」は、表示データをディスプレイ端末に出力するものである点で本願発明における「データ処理部」と共通する。そうすると、両者は、次の点で一致する。
  入力可能な複数個のメモリ・モジュールと、同一画面上での画像位置と画像メモリとの対応関係を示すウィンドウの選択情報を格納するウィンドウ・コントロール・メモリと、前記複数個のメモリ・モジュールから供給される複数の表示データの中から前記選択情報に基づいて一つのメモリ・モジュール上の表示データを選択して表示デバイスに出力するデータ処理部とを有するマルチウィンドウ表示制御装置。
　そして、次の各点で相違する。
(1) 本願発明においては、表示アドレスを発生する表示アドレス発生部を備えるものであるのに対し、引用例１に記載された発明においては表示アドレス発生部については特に示されていない点。（以下、「相違点１」という。）
(2) ウィンドウ・コントロール・メモリに関し、本願発明においては、表示アドレスに対応するウィンドウの選択情報及び表示モード情報を格納するものであるのに対し、引用例１に記載された発明においては制御情報（「ウィンドウの選択情報」に相当）のみを格納するものである点。（以下、「相違点２」という。）
(3) データ処理部に関し、本願発明においては、表示アドレスを受け複数個のメモリ・モジュールから供給される複数の表示データの中から表示アドレス毎に前記選択情報に基づいて一つの表示データを選択し、その選択された表示データに対し前記表示アドレスに対応する前記表示モード情報に基づいて論理演算し、その結果を表示デバイスに出力するものであるのに対し、上記引用例１に記載された発明においては、複数個のメモリプレーン（「メモリ・モジュール」に相当）から供給される複数の画像情報（「表示データ」に相当）の中から制御情報（「ウィンドウの選択情報」に相当）に基づいて一つのメモリプレーン（「メモリ・モジュール」に相当）上の画像情報（「表示データ」に相当）を選択して表示デバイスに出力するものである点。（以下、「相違点３」という。）
  そこで、上記各相違点について検討する。
  相違点１について
  上記引用例１に記載された発明においても、表示アドレスを発生する部分は、図示されていないにしても当然に備える必要があるものであり、また、上記引用例２には、複数個の表示メモリ（「メモリ・モジュール」に相当）と、表示アドレスを発生するアドレス発生回路（「表示アドレス発生部」に相当）を有し、複数のビデオ・データ（「表示データ」に相当）の中からウィンドウ選択情報に基づいて一つのビデオ・データ（「表示データ」に相当）を選択表示するマルチウィンドウ表示制御装置が記載されているから、上記引用例１に記載された発明においても、上記引用例２に記載された発明のように表示アドレスを発生する部分を設けることは当業者が適宜なし得た事項である。
  相違点２について
　上記引用例３に記載された発明は、各ウィンドウに対応する画像発生用タスク情報及び該タスク情報に対応する表示属性データをメモリに格納するものである。上記引用例３に記載された発明における「画像発生用タスク情報」、及び「表示属性データ」は、それぞれ、本願発明における「ウィンドウの選択情報」、及び「表示モード情報」に相当することは明らかである。上記引用例１と引用例３に記載された発明は、ともにマルチウィンドウ画像表示装置に関するものであり、その技術分野は共通しているから、上記引用例１に記載された発明においても、ウィンドウ制御用メモリ（ウィンドウ・コントロール・メモリ）内に、制御情報に加え引用例３に記載された発明のような表示属性データ（「表示モード情報」に相当）をも格納することは当業者が容易に想到できたものである。
  相違点３について
　上記引用例３に記載された発明における「所定の画像発生用タスクが制御権を得たとき」とは、表示アドレス毎にウィンドウの選択情報に基づいて一つのタスクのウィンドウ画像データつまり表示データを選択したときのことであるから、本願発明における「表示アドレス毎に前記選択情報に基づいて一つの表示データを選択し」たときに相当する。また、上記引用例３に記載された発明は、表示属性データ（「表示モード情報」に相当）を修正する、すなわち一つのタスクを選択したときそのタスクのウィンドウ画像データ（「表示データ」に相当）に対しその表示属性処理を施すものであるから、上記引用例１に記載された発明においても、「ゲート回路５〜８、ゲート信号制御回路13、出力信号制御回路９、及び出力回路10」（データ処理部）を、上記引用例３に記載された発明のように表示アドレス毎にウィンドウの選択情報に基づいて一つの画像情報（「表示データ」に相当）を選択したとき、その選択された画像情報（「表示データ」に相当）に対し前記表示属性データ（「表示モード情報」に相当）に基づいて処理し表示デバイスに出力するように構成することは当業者が容易に想到できたものである。
  そして、本願発明の奏する効果は上記引用例１〜３に記載された発明から十分に予測できる範囲のものであって、格別のものではない。
　
４．むすび
  以上のとおりであるから、本願発明は、上記引用例１〜引用例３に記載された発明に基づいて当業者が容易に発明をすることができたものであり、特許法第29条第２項の規定により特許を受けることができない。
  よって、結論のとおり審決する。